(57)【要約】【課題】裏紙使用と両面印刷を同時に実現可能とする両面印刷ファクシミリ装置を提供する。【解決手段】システム制御部１は、読出専用メモリ（ＲＯＭ）５からプログラムを読み出し、システムメモリ（ＤＲＡＭ）２および書込可能不揮発メモリ（ＳＲＡＭ）６を使用して、両面印刷時は画情報のバックアップをとっておき、後から該画情報を呼び出して印刷する制御を行い、またバックアップした画情報が過剰蓄積されないように、情報量を消去・削減する制御を行う。また、ユーザ自身は操作表示部１１でバックアップの設定およびバックアップ画情報の消去を行うことができる。【選択図】　　　　図１
2004104264.tif 000002
【特許請求の範囲】
【請求項１】
ユーザが印刷設定をする操作手段と、
受信する原稿の画情報をバックアップする記憶手段と、
前記記憶手段にバックアップされた前記画情報を呼び出す制御およびバックアップされた前記画情報を消去する制御を行う制御手段と、
呼び出した前記画情報を両面印刷および片面印刷する印刷手段とを有し、
両面印刷時は少なくとも１つの前記画情報に対してバックアップをとっておき、後から前記画情報を呼び出して再度印刷することを特徴とする両面印刷ファクシミリ装置。
【請求項２】
前記両面印刷時において、すべての画情報に対してバックアップをとっておき、後から前記画情報を呼び出して再度印刷することを特徴とする請求項１記載の両面印刷ファクシミリ装置。
【請求項３】
前記両面印刷時において、受信文書および自動起動のレポートだけに対して画情報のバックアップをとっておき、後から前記画情報を呼び出して再度印刷することを特徴とする請求項１記載の両面印刷ファクシミリ装置。
【請求項４】
裏紙を使用することがない場合は、ユーザがバックアップをとらない設定にできることを特徴とする請求項１から３記載の両面印刷ファクシミリ装置。
【請求項５】
バックアップ画情報をユーザが消去できることを特徴とする請求項１から３記載の両面印刷ファクシミリ装置。
【請求項６】
前記バックアップ画情報の容量が一杯になった時点で、一番古い画情報を消去することを特徴とする請求項５記載の両面印刷ファクシミリ装置。
【請求項７】
前記バックアップ画情報を容量が一杯になった時点で、バックアップできない場合は、次のジョブから両面印刷時にエラーを返すことを特徴とする請求項５記載の両面印刷ファクシミリ装置。
【請求項８】
前記バックアップ画情報がある場合は、常に液晶表示器上にファイルを消去してよいかのメッセージを出して、ユーザに消去するように促すことを特徴とする請求項５記載の両面印刷ファクシミリ装置。
【請求項９】
前記画情報を１つ消しても新たなバックアップ画情報が入らない場合は、２つ以上消去することを特徴とする請求項６記載のファクシミリ装置。
【発明の詳細な説明】
【０００１】
【発明の属する技術分野】
本発明は、画像バックアップ機能を有する両面印刷ファクシミリ装置に関する。
【０００２】
【従来の技術】
現在、省資源のために両面印刷機能を搭載している情報機器が増えている。また、省資源のために、ユーザがすでに片面に印刷済みの裏紙を使用することも増えている。このような事情から、従来のファクシミリ装置においても、両面印刷機能を有するものがあり、ユーザが裏紙を使用することが可能である。
【０００３】
本発明と類似する技術例として、読み取り条件が異なるページが混在している場合でも、ページ順に記録ができる原稿読取記録装置がある（例えば、特許文献１参照）。また、画像データを更紙または裏紙に確実に記録するファクシミリ装置がある（例えば、特許文献２参照）。
【０００４】
【特許文献１】
特開２００２−２７１７１号（第１−２頁、図１）
【特許文献２】
特開２００１−２６８３１２号（第１−３頁、図１）
【０００５】
【発明が解決しようとする課題】
しかし、上述した両面印刷と裏紙使用は同時に成り立たず、万が一裏紙がセットされている給紙段から両面印刷をした場合には、裏紙の元々印刷されていた面に重なって別の新たな情報が印刷されるので、受信した情報が読めなくなってしまう。特にファクシミリでは、相手からきた情報は印刷し終わった時点で情報を消してしまうので、裏紙に印刷したからといって再度印刷することができない。
【０００６】
また、上記従来技術例においては、特許文献１は、記憶した画像を消去せずに保持しているが、目的は読み取り条件の違う画情報を挿入するためであり、間違えて裏紙に両面印刷してしまった場合を解決するものではない。特許文献１の［００１３］に、「試験記録には、記録紙として裏紙（片面記録済みの記録紙）を使用すれば、新しい記録紙が無駄にならない。」とあるが、両面印刷については有効ではない。また、特許文献２は、裏紙と白紙の選択しているが、内外線の区別と送信側のモードによって分けており、対象物件も両面印刷する機能は有していないので、両面印刷の場合は有効ではない。
【０００７】
よって、裏紙使用と両面印刷が同時に行われた場合に、両面印刷時は画情報のバックアップをとっておき、後から該画情報を読み出して印刷でき、またバックアップした画情報が過剰蓄積されないように、情報量を消去・削減できる両面印刷ファクシミリ装置が望まれる。
【０００８】
本発明は上記事情に鑑みてなされたものであり、裏紙使用と両面印刷を同時に実現可能とする両面印刷ファクシミリ装置を提供することを目的とする。
【０００９】
【課題を解決するための手段】
かかる目的を達成するために、請求項１記載の両面印刷ファクシミリ装置は、送受信する原稿を読み取る読取手段と、読み取られた原稿の画情報をバックアップする記憶手段と、記憶手段にバックアップされた画情報を呼び出す制御および消去する制御を行う制御手段と、呼び出した画情報を両面印刷および片面印刷する印刷手段とを有しており、両面印刷時は少なくとも１つの画情報に対してバックアップをとっておき、後から画情報を呼び出して再度印刷することを特徴としている。
【００１０】
請求項２記載の両面印刷ファクシミリ装置は、請求項１記載の両面印刷ファクシミリ装置において、前記両面印刷時において、すべての画情報に対してバックアップをとっておき、後から前記画情報を呼び出して再度印刷することを特徴としている。
【００１１】
請求項３記載の両面印刷ファクシミリ装置は、請求項１記載の両面印刷ファクシミリ装置において、両面印刷時にユーザは受信文書および自動起動のレポートだけに対して画情報のバックアップをとる設定ができ、後から画情報を呼び出して再度印刷することを特徴としている。
【００１２】
請求項４記載の両面印刷ファクシミリ装置は、請求項１から３記載の両面印刷ファクシミリ装置において、裏紙を使用することがない場合は、ユーザがバックアップをとらない設定にできることを特徴としている。
【００１３】
請求項５記載の両面印刷ファクシミリ装置は、請求項１から３記載の両面印刷ファクシミリ装置において、バックアップ画情報をユーザが消去できることを特徴としている。
【００１４】
請求項６記載の両面印刷ファクシミリ装置は、請求項５記載の両面印刷ファクシミリ装置において、バックアップ画情報の容量が一杯になった時点で、一番古い画情報を消去することを特徴としている。
【００１５】
請求項７記載の両面印刷ファクシミリ装置は、請求項５記載の両面印刷ファクシミリ装置において、バックアップ画情報を容量が一杯になった時点で、バックアップできない場合は、次のジョブから両面印刷時にエラーを返すことを特徴としている。
【００１６】
請求項８記載の両面印刷ファクシミリ装置は、請求項５記載の両面印刷ファクシミリ装置において、すでにバックアップ画情報がある場合は、常に液晶表示器上にファイルを消去してよいかのメッセージを出して、ユーザに消去するように促すことを特徴としている。
【００１７】
請求項９記載の両面印刷ファクシミリ装置は、請求項６記載の両面印刷ファクシミリ装置において、古い画情報を１つ消しても新たな画情報がバックアップできない場合は、古い画情報を２つ以上消去することを特徴としている。
【００１８】
【発明の実施の形態】
以下、本発明の実施の形態について、添付図面を参照しながら詳細に説明する。
【００１９】
図１は、本発明の実施例であるファクシミリ装置のブロック図である。システム制御部１は、各部の制御処理およびファクシミリ電送制御手順を行う。システムメモリ（ＤＲＡＭ）２は、システム制御部がプログラムを実行する時に、必要なデータ等を記録したり、ワークエリアとしたりして利用する。スキャナ３は、所定の画像で原稿を読み取る。プロッタ４は、所定の解像度で画像またはリスト・レポート類を印刷する。読出専用メモリ（ＲＯＭ）５は、プログラムや各種テーブルを格納する領域である。書込可能不揮発メモリ（ＳＲＡＭ）６は、画像メモリ（ＳＡＦ）９とリンクして、システム制御上必要なパラメータやユーザ操作などで得られる登録データを格納する。網制御部７は、公衆電話回線網に接続するもので、自動発信機能を有する。Ｇ３ＦＡＸモデム８は、グループ３ファクシミリのモデム機能を実現するものである。画像メモリ（ＳＡＦ）９は、必要に応じて、送信画像や受信画像を記憶しておくものである。符号化復号化部１０は、生画像を定められた符号に圧縮したり、符号化された画像を元の生画像に伸長したりするものである。操作表示部１１は、通信操作や登録操作などを行うもので、各種のキーや表示器から構成される。
【００２０】
複合機の両面印刷機能としては、ファクシミリ受信、プリンタ、コピー、レポート印刷などが考えられる。上述の図１のファクシミリ装置は、本発明の主要機能であるファクシミリ受信、プリンタ、コピー、レポート印刷の両面印刷裏紙の関係についてのものである。
【００２１】
また、ファクシミリ装置には、排紙したままＰ１、Ｐ２と順番に読む裏面排紙のマシンと、排紙したまま最終ページからＰ１まで順番に読む表面排紙のマシンとがあり、この実施の形態では、裏面排紙のマシンについて述べることにする。表面排紙のマシンも表面、裏面の印刷順は異なるが、テキスト部と画像部に分ける考え方は同じである。
【００２２】
次にファクシミリ装置の両面印刷機構について、図１０を参照にして説明する。両面印刷機構は、排紙センサ１３、定着ローラ１４、感光体１５、レジストローら１６、転写ローラ１７、分岐センサ（ツメとフィラーが一体）１８、搬送ローラ１９、レジストセンサ２０とから構成されている。書き込み部は１箇所で、片面書き込み後に記録紙を逆転させてパスを切り替えて元のパスに戻す方式である。書き込み部が２箇所の方式でも本発明は有効であり、また、どんな書き込みスピードになっていようとも本発明は有効である。
【００２３】
ただし、裏面排紙の場合は、最初にＰ２を第１面として印刷してから、Ｐ１を第２面として印刷する。したがって、ページ分割の判断もして両面印刷するためにページメモリを２ページ分確保して、Ｐ１、Ｐ２の順にページメモリに展開してＰ２から両面印刷する。
【００２４】
次に、ファクシミリ受信時の動作についてデータパスを中心に説明する。図２は、直接受信のデータパスについて示している。システム制御部１が読出専用メモリ５からプログラムを読み出し、システムメモリ（ＤＲＡＭ）２、書込可能不揮発メモリ６を使用しながら全体を制御する。受信時は網制御部７で着呼を検出して回線を閉結して呼をつなぐ。その後、プロトコルの交換を行い画情報（圧縮）をＧ３ＦＡＸモデム８でデジタル信号に変換して圧縮データを画像メモリ（ＳＡＦ）９に蓄積するとともに、符号化復号化部１０で画情報（生）に復号化してシステムメモリ（ＤＲＡＭ）２上にあるページメモリ（ＰＭ）に展開して、そのデータをプロッタ４に送り印刷する。途中でプロッタ４がダウンしてもよいように画像メモリ（ＳＡＦ）９に蓄積して画情報を保証している。
【００２５】
次に、図３を参照にしてメモリ受信のデータパスについて説明する。画像メモリ（ＳＡＦ）９に蓄積するまでは、上述の直接受信の場合と同じであるが、符号化復号化部１０から先のデータパスは通さない。プロッタ４へも画情報（生）を送らない。これは、印字は受信後に行うメモリ受信だからである。回線を切断した後に画像メモリ（ＳＡＦ）９を読み出し、符号化復号化部１０で画情報（生）に復号化してシステムメモリ２上のページメモリ（ＰＭ）に展開してプロッタに送り印刷する。
【００２６】
次に、図４を参照にしてバッファコピーのデータパスについて説明する。スキャナ３で読み取った画情報はシステムメモリ（ＤＲＡＭ）２上にあるページメモリ（ＰＭ）に展開して、そのデータをプロッタ４に送り印刷する。
【００２７】
次に、図５を参照にしてバッファコピーのデータパスについて説明する。画像メモリ（ＳＡＦ）９に蓄積した後は、上述のメモリ受信のデータパスと同じである。スキャナ３で読み取った画情報（生）は、符号化復号化部１０で圧縮されて画像メモリ（ＳＡＦ）９に蓄積する。蓄積した画情報（圧縮）は、画像メモリ（ＳＡＦ）９から読み出して、符号化復号化部１０で画情報（生）に復号化してシステムメモリ（ＤＲＡＭ）２上のページメモリ（ＰＭ）に展開してプロッタ４に送り印刷する。
【００２８】
次に両面印刷時の受信方式について説明する。通常は直接受信、メモリ受信ともに両面印刷できる。直接受信の場合は、バックグラウンドで画像メモリ（ＳＡＦ）９に蓄積しているので、同時に画情報（圧縮）を復号化して画情報（生）にしてシステムメモリ（ＤＲＡＭ）２上のページメモリ（ＰＭ）に展開する。１ページ目を受信した時点で相手にＭＣＦを返し、ここでは印刷しない。２ページ目を受信した時点で相手にＭＣＦを返し、２ページ分の画情報（生）がＰＭにたまったら、両面印刷モードで印刷する。その後、奇数ページでは印刷せず、偶数ページを受信した時点で両面印刷モードにより印刷する。最終ページが奇数ページであれば、片面印刷モードで印刷する。ただし、印刷面を一定にしたい場合は、偶数ページは白紙を印刷して、両面機構を通した後に奇数ページを印刷する。このようにすれば、奇数ページの印刷面が一定となり、片面にロゴ入りの記録紙を使用しても、順序よく並ぶ。なお、最終印刷ページが偶数ページであれば、両面印刷モードで印刷する。
【００２９】
一方メモリ受信の場合は、すべての画情報を受け取って回線切断した後に、印刷に入る。画像メモリ（ＳＡＦ）９から奇数ページと偶数ページの画情報（圧縮）を読み出して符号化復号化部で画情報（生）に復号化して、システムメモリ（ＤＲＡＭ）２上のＰＭに展開する。プロッタ４は、２ページ分の画情報（生）がＰＭにたまったら、両面印刷モードで印刷する。最終ページが奇数ページであれば、片面印刷モードで印刷する。
【００３０】
次に両面印刷時のコピー方式について説明する。通常はバッファコピー、メモリコピーともに両面印刷できる。バッファコピーの場合は、読み取った画情報（生）をそのままシステムメモリ（ＤＲＡＭ）２上のページメモリ（ＰＭ）に展開する。１ページ目を読み取った時点では印刷しない。２ページ目を読み取った時点で２ページ分の画情報（生）がＰＭにたまったら、両面印刷モードで印刷する。その後も同様に奇数ページでは印刷せず、偶数ページを読み取った時点で両面印刷モードにより印刷する。最終ページが奇数ページであれば、片面印刷モードで印刷する。ただし、印刷面を一定にしたい場合は、偶数ページは白紙を印刷して、両面機構を通して、後に奇数ページを印刷する。このようにすれば、奇数ページの印刷面が一定となり、片面にロゴ入りの記録紙を使用しても、順序よく並ぶ。最終ページが偶数ページであれば、両面印刷モードで印刷する。
【００３１】
次に、ファクシミリ装置の操作表示部１１を示す図６から図１０を参照にしながら、本発明の実施例であるファクシミリ装置の動作について詳細に説明する。
【００３２】
まず、第１の実施例を説明する。あらかじめマシンとして両面印刷を設定しておく。設定方法は、図６（ａ）の表示の後に右矢印キーを押し、図６（ｂ）の表示の後に設定キーを押す。また、給紙段ごとに両面印刷のＯＮ／ＯＦＦを設定しておく。設定方法は、図７（ａ）の表示後に、右矢印キーを押し、図７（ｂ）の表示の後に設定キーを押す。両面印刷と片面印刷の選択をする。この時に相手先による場合のみ両面印刷、またはある給紙段の時のみ両面印刷など制限を加えることは可能である。ここでは、代表してすべてが両面印刷設定されている場合のみを記載している。
【００３３】
ここで、ある給紙段で両面印刷がＯＮしているが、裏紙が入っている場合を考える。今までの装置であれば、あるジョブが両面印刷し終わったら、画情報を消去する。しかし、今回の想定では、裏紙のすでに印刷されている面に画情報を印刷することになる。これでは、画情報が読めなくなる可能性があり、ユーザにとっては、大変不具合となる。
【００３４】
そこで、両面印刷した場合にバックアップしておく。今回の想定の場合では、バックアップしている画情報を呼び出して、再度片面印刷するまたは記録紙を裏紙から白紙に入れ替えて再度両面印刷することにより、判読できる画情報を得ることができる。なお、バックアップする領域は、バックアップのみならず、送信画情報も記録する必要があるので、メモリ全領域の一部に限定する。
【００３５】
次に、第２の実施例について説明する。上述した第１の実施例の場合においては、両面印刷時にすべての画情報をバックアップすることにより、画情報エリアがあふれる可能性がある。そこで第２の実施例は、受信文書のみバックアップするように改善するものである。なぜなら、プリンタ、コピー、手動起動レポートなどは、ユーザの意思で実行するジョブであるが、受信は相手の意思で送られるもので、受信側は再度作成することができない。また、自動起動のレポートもシステムが自動的に出して情報を消去してしまうので、それをバックアップしておき、必要な場合に再度片面印刷する、または記録紙を裏紙から白紙に入れ替えて再度両面印刷することにより、判読できる画情報を得ることができる。
【００３６】
次に、第３の実施例について説明する。上述した第１および第２の実施例で、各給紙段において絶対裏紙を使用しない場合に、バックアップをとる必要はない。そこで、第３の実施例は両面印刷時のバックアップのＯＮ／ＯＦＦを設定する方法を用意する。ユーザの動作は図８に示すように、図８（ａ）の表示後右矢印キーを押し、図８（ｂ）の表示後に設定キーを押す。バックアップをＯＦＦにした場合には、受信文書でもバックアップせず、画情報容量を使用することはないので、その分限られたメモリを送信予約の画情報などに効率よく利用することができる。
【００３７】
次に、第４の実施例について説明する。上述した第１および第２の実施例では、バックアップした情報を消去しない限り、メモリ容量を食いつぶしてしまう。そこで、第４の実施例は、両面印刷で正常に印刷できた画情報について消去する方法を提供する。図９（ａ）の表示後に、そのまま画情報を残したい場合は、図９（ｂ）において確認ボタンを押し、消去しても構わない時には、消去するボタンを押す。これに類似する方法で、例えば、レポートに画情報の先頭部分だけを印刷し、消去する画情報が選択でき、消去ができるなどができれば手段は限定しない。また、この場合、常にＬＣＤなどにバックアップファイルを消去してよいかというメッセージを表示し、ユーザにファイルの消去を促す。
【００３８】
次に、第５の実施例について説明する。上述した第４の実施例では、ユーザが手動で画情報を消去する方法では、容量が一杯になる可能性がある。そこで、第５の実施例は、記録された中で最古の画情報から自動的に消去していく。それでもバックアップ画情報領域に入らない場合は、順次古い画情報から複数消去していく。
【００３９】
次に、第６の実施例について説明する。第６の実施例は、上述した第４の実施例において、ユーザが手動で画情報を消去する方法では、容量が一杯になる可能性がある。その場合には、両面印刷が指定されているジョブはエラーを返す。実施例４では、バックアップ画情報が残っている表示がされるので消去することがわかる。自動的に消去すると裏紙のすでに記録された面に印刷された画情報を消去するおそれがある。この不具合を解消するために、自動的に消去できないようにする。
【００４０】
【発明の効果】
以上の説明から明らかなように、請求項１記載の発明によれば、送受信する原稿を読み取る読取手段と、読み取られた原稿の画情報をバックアップする記憶手段と、記憶手段にバックアップされた画情報を呼び出す制御およびバックアップされた画情報を消去する制御を行う制御手段と、呼び出した画情報を両面印刷および片面印刷する印刷手段とを有しており、両面印刷時は少なくとも１つの画情報に対してバックアップをとっておき、後から呼び出して再度印刷することを特徴としているので、裏紙に両面印刷してもバックアップ情報で再度印刷でき、受信画像情報がなくなることはない。
【００４１】
請求項２記載の両面印刷ファクシミリ装置は、請求項１記載の両面印刷ファクシミリ装置において、前記両面印刷時において、すべての画情報に対してバックアップをとっておき、後から前記画情報を呼び出して再度印刷することを特徴としているので、裏紙に両面印刷してもバックアップ情報で再度印刷でき、受信画像情報がなくなることはない。
【００４２】
請求項３記載の発明によれば、請求項１記載の両面印刷ファクシミリ装置において、両面印刷時にユーザが受信文書および自動起動のレポートだけに対して画情報のバックアップをとる設定ができ、後から画情報を呼び出して再度印刷することを特徴としているので、裏紙に両面印刷してもバックアップ情報で再度印刷でき、情報がなくなることはなく、また、コピープリンタなどの受信文書以外は再度起動をかけることができるので、画情報容量を無駄にすることがない。
【００４３】
請求項４記載の発明によれば、請求項１から３記載の両面印刷ファクシミリ装置において、裏紙を使用することがない場合は、ユーザがバックアップをとらない設定にできることを特徴としているので、バックアップ容量が削減できる。
【００４４】
請求項５記載の発明によれば、請求項１から３記載の両面印刷ファクシミリ装置において、バックアップ画情報をユーザが消去できることを特徴としているので、容量があふれることはない。
【００４５】
請求項６記載の発明によれば、請求項５記載の両面印刷ファクシミリ装置において、バックアップ画情報の容量が一杯になった時点で、一番古い画情報を消去することを特徴としているので、容量があふれることはない。
【００４６】
請求項７記載の発明によれば、請求項５記載の両面印刷ファクシミリ装置において、バックアップ画情報を容量が一杯になった時点で、バックアップできない場合は、次のジョブから両面印刷時にエラーを返すことを特徴としているので、ジョブがエラーになり、バックアップ画情報を消去していいかどうかのメッセージが表示されて、ユーザはバックアップ画情報を消去することがわかり、結果的に容量があふれても解消できる。
【００４７】
請求項８記載の発明によれば、請求項５記載の両面印刷ファクシミリ装置において、バックアップ画情報がある場合は、常にＬＣＤ上に、ファイルを消去してよいかという内容のメッセージを出して、ユーザに消去するように促すことを特徴としているので、バックアップ画情報を消去でき、容量があふれることがない。
【００４８】
請求項９記載の発明によれば、請求項６記載のファクシミリ装置において、古い画情報を１つ消しても新たな画情報が入らない場合は、古い画情報を２つ以上消去することを特徴としているので、バックアップ画情報を消去でき、容量があふれることがない。
【図面の簡単な説明】
【図１】本発明のファクシミリ装置の構成を示すブロック図である。
【図２】直接受信のデータパスを示す説明図である。
【図３】メモリ受信のデータパスを示す説明図である。
【図４】バッファコピーのデータパスを示す説明図である。
【図５】メモリコピーのデータパスを示す説明図である。
【図６】両面印刷設定時の表示を示す説明図である。
【図７】給紙段ごとの両面印刷設定時の表示を示す説明図である。
【図８】バックアップ時の給紙段ごとの両面印刷設定時の表示を示す説明図である。
【図９】待機時のバックアップ画情報が存在する時の表示を示す説明図である。
【図１０】両面機構の内部構成を示す図である。
【符号の説明】
１　システム制御部
２　システムメモリ（ＤＲＡＭ）
３　スキャナ
４　プロッタ
５　読出専用メモリ（ＲＯＭ）
６　書込可能不揮発メモリ（ＳＲＡＭ）
７　網制御部
８　Ｇ３ＦＡＸモデム
９　画像メモリ（ＳＡＦ）
１０　符号化復号化部
１１　操作表示部
１２　システムバス
１３　排紙センサ
１４　定着ローラ
１５　感光体
１６　レジストローラ
１７　転写ローラ
１８　分岐センサ
１９　搬送ローラ
２０　レジストローラ
【図１】
2004104264.tif 000003
【図２】
2004104264.tif 000004
【図３】
2004104264.tif 000005
【図４】
2004104264.tif 000006
【図５】
2004104264.tif 000007
【図６】
2004104264.tif 000008
【図７】
2004104264.tif 000009
【図８】
2004104264.tif 000010
【図９】
2004104264.tif 000011
【図１０】
2004104264.tif 000012